(57)【特許請求の範囲】
【請求項１】
クロック信号のパルス入力によりスイッチ動作して、第１のコンデンサを使用したチャージポンプ動作により電源電圧から昇圧された電圧が第２のコンデンサに充電され、第２のコンデンサに充電された電圧が出力電圧として出力されるチャージポンプと、
前記チャージポンプの出力電圧に応じた電圧をコンパレータで基準電圧と比較し、前記コンパレータの出力に応じて前記クロック信号のパルスをスキップして前記出力電圧を目標電圧にレギュレートするレギュレータとを有する電源回路において、
前記出力電圧が前記目標電圧より所定値低い電圧以上では、前記第２のコンデンサの充電を抵抗手段を介して行うことにより、所定の時定数を付与して充電カーブが緩やかになるようにしたことを特徴とする電源回路。
【請求項２】
前記第１のコンデンサと第２のコンデンサとの間に、第１のスイッチと、前記抵抗手段としての抵抗素子を介した第２のスイッチとが並列接続され、前記第２のコンデンサの充電が、前記所定値低い電圧以下で前記第１のスイッチのオン制御により行われ、前記所定値低い電圧以上で前記第１のスイッチのオフ制御および前記第２のスイッチのオン制御により行われることを特徴とする請求項１記載の電源回路。
【請求項３】
前記所定値低い電圧を検出する第２のコンパレータを有し、前記第１および第２のスイッチが前記第２のコンパレータの出力により制御されることを特徴とする請求項２記載の電源回路。
【請求項４】
第１のコンデンサと、
前記第１のコンデンサを使用したチャージポンプ動作により、電源電圧から昇圧された電圧が充電される第２のコンデンサと、
前記電源電圧から昇圧された電圧の第２のコンデンサへの充電経路に設けられた可変抵抗器とを備えることを特徴とする電源回路。
【請求項５】
前記可変抵抗器を、出力電圧と出力目標電圧との電位差に応じて制御することを特徴とする請求項４記載の電源回路。
【発明の詳細な説明】
【技術分野】
【０００１】
本発明はチャージポンプを備えた電源回路に関し、特に、スキップモードレギュレータによりチャージポンプ出力をレギュレートする電源回路に関する。この電源回路は、携帯電話やＰＤＡなどの携帯機器の表示装置を駆動するドライバＩＣ等に内蔵されるのに好適である。
【背景技術】
【０００２】
従来のこの種の電源回路１００（例えば、特許文献１を参照。）について、電源電圧を昇圧変換する電源回路を例にして、図３を参照して説明する。電源回路１００は、クロック信号ＣＬＫ１に同期してスイッチ動作して昇圧電圧を出力するチャージポンプ１０と、チャージポンプ１０の出力電圧に応じてクロック信号ＣＬＫ１のパルスをスキップさせることによりチャージポンプ１０の出力をレギュレートさせるレギュレータ２０とで構成されている。
【０００３】
チャージポンプ１０は、図４に一例を示すように、コンデンサＣ１，Ｃ２とスイッチＳＷ１，ＳＷ２，ＳＷ３，ＳＷ４とを有している。電源端子ＶＤＤと接地端子Ｇｎｄ間にスイッチＳＷ１、コンデンサＣ１およびスイッチＳＷ２が直列接続されている。電源端子ＶＤＤとコンデンサＣ１およびスイッチＳＷ２の接続点間にスイッチＳＷ３が接続されている。スイッチＳＷ１およびコンデンサＣ１の接続点と接地端子Ｇｎｄ間にスイッチＳＷ４およびコンデンサＣ２が直列接続され、その直列接続点をチャージポンプ１０の出力端として出力端子Ｖoutに接続されている。スイッチＳＷ１，ＳＷ２とスイッチＳＷ３，ＳＷ４とは、クロック信号ＣＬＫ２入力により相補的にオン／オフ制御される。
【０００４】
チャージポンプ１０の昇圧動作について説明する。先ず、"Ｌ"レベルのクロック信号ＣＬＫ２入力により、スイッチＳＷ１，ＳＷ２がオン、スイッチＳＷ３，ＳＷ４がオフになり、電源電圧VDDによりコンデンサC１が充電される（スタンバイ状態）。次に、"Ｈ"レベルのクロック信号ＣＬＫ２入力により、スイッチＳＷ１，ＳＷ２がオフ、スイッチＳＷ３，ＳＷ４がオンになり、コンデンサC１に充電された電圧に電源電圧VDDが重畳された電圧でコンデンサC２が充電される（昇圧状態）。このオン／オフ制御が繰り返されて、チャージポンプ１０の出力端に昇圧電圧が出力される。コンデンサC１，Ｃ２の充電電圧が飽和するようにオン／オフ制御される場合は、チャージポンプ１０の出力端に電源電圧VDDの2倍の昇圧電圧が出力される。この電源回路１００では、コンデンサC１，Ｃ２の充電電圧が不飽和となるように、スイッチＳＷ１〜ＳＷ４のオン時間が制御され、チャージポンプ１０の出力端に電源電圧VDDの2倍より低い昇圧電圧が出力される。
【０００５】
レギュレータ２０は、図３に示すように、分圧回路２１、コンパレータ２２、基準電圧源２３およびＡＮＤ回路２４を有している。分圧回路２１は、チャージポンプ１０の出力端と接地端子Ｇｎｄ間に直列接続された分圧抵抗Ｒ１，Ｒ２からなり分圧点Ｐから分圧電圧Ｖｄを出力する。コンパレータ２２は、反転入力端に分圧点Ｐが接続され、非反転入力端に基準電圧源２３が接続されて、分圧電圧Ｖｄを基準電圧Ｖrefと比較し、基準電圧Ｖrefより分圧電圧Ｖｄが高いとき"Ｌ"レベル、低いとき"Ｈ"レベルのコンパレータ出力ＣＰＳとなる。ＡＮＤ回路２４は、一入力端にクロック信号入力端子ＣＬＫ１が接続され、他入力端にコンパレータ２２の出力端が接続され、クロック信号入力端子ＣＬＫ１からの第１クロック信号ＣＬＫ１とコンパレータ出力ＣＰＳとで論理積され、第２クロック信号ＣＬＫ２としてチャージポンプ１０に供給される。
【０００６】
上記構成の電源回路１００の動作を図５および図６を参照して説明する。尚、起動時の動作説明は省略する。
（ａ）重負荷時（図５（ａ）参照）：時刻Ｔ１において、クロック信号ＣＬＫ１が"Ｌ"レベルにより、クロック信号ＣＬＫ２も"Ｌ"レベル であり、チャージポンプ１０はスタンバイ状態である。
【０００７】
時刻Ｔ２において、コンパレータ２２の出力ＣＰＳは"Ｈ"レベルであり、クロック信号ＣＬＫ１が"Ｈ"レベルになると、クロック信号ＣＬＫ２も"Ｈ"になり、チャージポンプ１０は昇圧状態となる。そして、時刻Ｔ２から時刻Ｔ３までのクロック信号ＣＬＫ１が"Ｈ"レベルの期間において、時間の経過とともに、出力電圧Ｖoutは目標電圧に近づいていくが、重負荷時では、コンデンサＣ１に溜まったエネルギーをコンデンサＣ２に放電しても、出力電圧Ｖoutは目標電圧に到達しない。従って時刻Ｔ２から時刻Ｔ３までの期間、分圧電圧Ｖｄ１が基準電圧Ｖｒｅｆを超えないため、コンパレータ２２の出力ＣＰＳは"Ｈ"レベルのままとなり、チャージポンプ１０は昇圧状態に固定される。
【０００８】
時刻Ｔ３においてクロック信号ＣＬＫ１が"Ｌ"レベルになると、クロック信号ＣＬＫ２も"Ｌ"になり、チャージポンプ１０はスタンバイ状態となる。
以下、クロック信号ＣＬＫ１が"Ｈ"レベルになるごとに、時刻Ｔ２からの動作が繰り返される。
【０００９】
（ｂ）軽負荷（コンパレータ高速応答）時（図６（ｂ）参照）：時刻Ｔ１において、重負荷時と同様に、チャージポンプ１０はスタンバイ状態である。
【００１０】
時刻Ｔ２において、重負荷時と同様に、チャージポンプ１０は昇圧状態となる。
【００１１】
時刻Ｔ２１において、出力電圧Ｖoutが目標電圧まで昇圧したのをコンパレータ２２が検出すると、コンパレータ出力ＣＰＳは動作速度に依存した遅延時間経過後に"Ｌ"レベルになり、クロック信号ＣＬＫ２も"Ｌ"レベルとなり、チャージポンプ１０はスタンバイ状態となる。
【００１２】
時刻Ｔ２２において、出力電圧Ｖoutが目標電圧より降圧したのをコンパレータ２２が検出すると、コンパレータ出力ＣＰＳは動作速度に依存した遅延時間経過後に"Ｈ"レベルになり、クロック信号ＣＬＫ２も再び"Ｈ"レベルとなり、チャージポンプ１０は再び昇圧状態となる。以下同様に、クロック信号ＣＬＫ１が"Ｌ"レベルになる時刻Ｔ３までスタンバイ状態と昇圧状態が繰り返される。
【００１３】
時刻Ｔ３において、重負荷時と同様に、チャージポンプ１０はスタンバイ状態となる。以下、クロック信号ＣＬＫ１が"Ｈ"レベルになるごとに、時刻Ｔ２からの動作が繰り返される。
【特許文献１】特開２００５−２０９７１号公報（図３〜５）
【発明の開示】
【発明が解決しようとする課題】
【００１４】
上述したように、電源回路１００の軽負荷（コンパレータ高速応答）時での昇圧動作は、クロック信号ＣＬＫ１が"Ｈ"レベルの間に、コンパレータ２２の動作速度に依存した周波数で"Ｌ"レベルと"Ｈ"レベルを繰り返すクロック信号ＣＬＫ２により行われる。このクロック信号ＣＬＫ２は高周波となる場合が多く、高周波動作による動消費電流増加の対策として、コンパレータ２２の応答速度を遅くしたり、コンパレータ２２にヒステリシスを持たせることが考えられる。ところが、コンパレータ２２の応答速度を遅くしたり、ヒステリシスを持たせると、図６（ｃ）に示すように、時刻Ｔ２１に出力電圧Ｖoutが目標電圧まで昇圧してから、コンパレータ２２の出力が"Ｌ"レベルになるまでの時間が長くなり、出力電圧Ｖoutのオーバーシュートが大きくなってしまう。このオーバーシュートにより出力電圧Ｖoutがこの出力電圧Ｖoutを受ける回路素子の絶対最大定格を超え素子が劣化する虞がある。また、出力電圧Ｖoutのリップルも大きくなる。
【課題を解決するための手段】
【００１５】
本発明の電源回路は、クロック信号のパルス入力によりスイッチ動作して、第１のコンデンサを使用したチャージポンプ動作により電源電圧から昇圧された電圧が第２のコンデンサに充電され、第２のコンデンサに充電された電圧が出力電圧として出力されるチャージポンプと、チャージポンプの出力電圧に応じた電圧をコンパレータで基準電圧と比較し、コンパレータの出力に応じてクロック信号のパルスをスキップして出力電圧を目標電圧にレギュレートするレギュレータとを有する電源回路において、出力電圧が目標電圧より所定値低い電圧以上では、第２のコンデンサの充電を抵抗手段を介して行うことにより、所定の時定数を付与して充電カーブが緩やかになるようにしたことを特徴とする。
【００１６】
上記手段によれば、チャージポンプの出力電圧が目標電圧より所定値低い電圧以上では、第２のコンデンサの充電が、抵抗手段の抵抗値と第２のコンデンサの容量値とによる時定数で行われ、充電カーブが緩やかになる。
【発明の効果】
【００１７】
本発明によれば、チャージポンプの出力電圧が目標電圧より所定値低い電圧以上での第２のコンデンサの充電カーブが緩やかになり、軽負荷時での出力電圧のオーバーシュートやリップルを低減できる電源回路を提供することができる。また、第２のコンデンサの充電時間が、コンパレータの動作速度に依存せず、抵抗手段と第２のコンデンサによる時定数に依存して長くなるため、スイッチ動作がコンパレータの動作速度に依存した周波数より低くなり、動消費電流を低減させることができる。その結果、出力電圧Ｖoutを受ける回路素子の劣化を防止でき、かつ、安定した目標電圧を低消費電流で供給できる。
【発明を実施するための最良の形態】
【００１８】
以下に、本発明の一実施形態について図１を参照して説明する。尚、図３に示した電源回路１００と同一構成のものについては同一符号を付してその説明を省略する。電源回路３００は、チャージポンプ５０と、レギュレータ６０とで構成されている。
【００１９】
チャージポンプ５０がチャージポンプ１０と異なるのは、スイッチＳＷ４（チャージポンプ５０ではＳＷ４ａと表示）に並列にスイッチＳＷ４ｂを介した抵抗Ｒ３が接続されている点である。スイッチＳＷ１，ＳＷ２とスイッチＳＷ３とは、クロック信号ＣＬＫ２入力により相補的にオン／オフ制御される。スイッチＳＷ４ａ，ＳＷ４ｂは、"Ｈ"レベルのクロック信号ＣＬＫ２入力のとき、後述するコンパレータ出力ＣＰＳ２の入力により相補的にオン／オフ制御され、"Ｌ"レベルのクロック信号ＣＬＫ２入力のとき、オフ制御される。
【００２０】
チャージポンプ５０の昇圧動作について説明する。先ず、"Ｌ"レベルのクロック信号ＣＬＫ２入力により、スイッチＳＷ１，ＳＷ２がオン、スイッチＳＷ３，ＳＷ４ａ，ＳＷ４ｂがオフになり、電源電圧VDDによりコンデンサC１が充電される（スタンバイ状態）。次に、"Ｈ"レベルのクロック信号ＣＬＫ２およびコンパレータ出力ＣＰＳ２の入力により、スイッチＳＷ１，ＳＷ２，ＳＷ４ｂがオフ、スイッチＳＷ３，ＳＷ４ａがオンになり、コンデンサC１に充電された電圧に電源電圧VDDが重畳された電圧でコンデンサC２が充電される（第１の昇圧状態）。"Ｈ"レベルのクロック信号ＣＬＫ２および"Ｌ"レベルのコンパレータ出力ＣＰＳ２の入力により、スイッチＳＷ１，ＳＷ２，ＳＷ４ａがオフ、スイッチＳＷ３，ＳＷ４ｂがオンになり、コンデンサC１に充電された電圧に電源電圧VDDが重畳された電圧でコンデンサC２が抵抗Ｒ３を介して充電される（第２の昇圧状態）。コンデンサＣ２の充電カーブは、第１の昇圧状態より第２の昇圧状態のほうが、抵抗Ｒ３の抵抗値とコンデンサＣ２の容量値による時定数の付与により緩やかになる。
【００２１】
次に、レギュレータ６０がレギュレータ２０と異なるのは、分圧回路２１の替わりに分圧回路６１を有し、コンパレータ６２を新たに有している点である。
【００２２】
分圧回路６１は、分圧回路２１と同様に分圧抵抗Ｒ１，Ｒ２で構成されるが、分圧抵抗Ｒ１がさらに分圧抵抗Ｒ１ａ，Ｒ１ｂで構成されている。分圧回路２１の分圧点Ｐおよび分圧電圧Ｖｄは、分圧回路６１では分圧点Ｐ１および分圧電圧Ｖｄ１と表示されている。分圧抵抗Ｒ１ａ，Ｒ１ｂの分圧点Ｐ２から分圧電圧Ｖｄ１より高い分圧電圧Ｖｄ２を出力する。
【００２３】
コンパレータ６２は、反転入力端に分圧点Ｐ２が接続され、非反転入力端に基準電圧源２３が接続されている。コンパレータ６２により分圧電圧Ｖｄ２が基準電圧Ｖrefと比較され、基準電圧Ｖrefより分圧電圧Ｖｄ２が高いとき"Ｌ"レベル、低いとき"Ｈ"レベルのコンパレータ出力ＣＰＳ２となる。コンパレータ出力ＣＰＳ２はチャージポンプ５０に供給される。分圧点Ｐ２は、出力電圧Ｖoutが目標電圧より所定値低い電圧になったときをコンパレータ６２が検出するように設定される。
【００２４】
上記構成の電源回路３００の動作について図２を参照して説明する。尚、重負荷の状態では、従来の電源回路１００でもオーバーシュートが発生しないので、重負荷の状態での動作説明は省略し、軽負荷時での動作についてのみ説明する。時刻Ｔ１において、クロック信号ＣＬＫ１が"Ｌ"レベルにより、クロック信号ＣＬＫ２も"Ｌ"レベル であり、チャージポンプ５０は、スタンバイ状態である。
【００２５】
時刻Ｔ２において、コンパレータ２２，６２の出力ＣＰＳ１，ＣＰＳ２は"Ｈ"レベルであり、クロック信号ＣＬＫ１が"Ｈ"レベルになると、クロック信号ＣＬＫ２も"Ｈ"になり、チャージポンプ５０は、第１の昇圧状態となる。
【００２６】
時刻Ｔ２３において、クロック信号ＣＬＫ１，ＣＬＫ２およびコンパレータ出力ＣＰＳ１は"Ｈ"レベルであり、コンパレータ出力ＣＰＳ２が"Ｌ"レベルになると、チャージポンプ５０は、第２の昇圧状態となる。
【００２７】
時刻Ｔ２４において、出力電圧Ｖoutが目標電圧に到達すると、コンパレータ出力ＣＰＳ１が"Ｌ"レベルとなり、クロック信号ＣＬＫ２も"Ｌ"レベルとなり、チャージポンプ５０はスタンバイ状態となる。そして、時刻Ｔ２４からコンパレータ２２の動作速度に依存した遅延時間経過後の時刻Ｔ２５にコンパレータ出力ＣＰＳ１は再び"Ｈ"レベルになりチャージポンプ５０は第２の昇圧状態となる。以下同様に、クロック信号ＣＬＫ１が"Ｌ"レベルになる時刻Ｔ３までスタンバイ状態と第２の昇圧状態とが繰り返される。
【００２８】
時刻Ｔ３においてクロック信号ＣＬＫ１が"Ｌ"レベルになると、クロック信号ＣＬＫ２も"Ｌ"になり、チャージポンプ５０はスタンバイ状態となる。以下、クロック信号ＣＬＫ１が"Ｈ"レベルになるごとに、時刻Ｔ２からの動作が繰り返される。
【００２９】
コンパレータ出力ＣＰＳ２が"Ｌ"レベルのときのコンデンサC２の充電は、抵抗Ｒ３を介して行われるため、抵抗Ｒ３の抵抗値とコンデンサＣ２の容量値とによる時定数により充電カーブが緩やかになり、電源回路３００の出力電圧Ｖoutのオーバーシュートが低減される。コンパレータ２２の遅延を、例えば、１usecとする。従来の電源回路１００では、抵抗Ｒ３を介さないでコンデンサＣ２が充電されるが、この場合の充電の傾きを、例えば、０．５V／usecとした場合、コンパレータ２２が目標電圧を検出し、遅延時間１usec後にチャージポンプ１０がスタンバイ状態となるので、出力電圧Ｖoutは０．５Ｖオーバーシュートする計算になる。これに対して、電源回路３００では、抵抗Ｒ３を介してコンデンサＣ２が充電されるためその時定数により充電カーブが緩やかになり、この場合の充電の傾きを、例えば、０．１Ｖ／usecにした場合、出力電圧Ｖoutのオーバーシュートは０．１Ｖに低減できる計算になる。
【００３０】
また、電源回路１００では、軽負荷時において、クロック信号ＣＬＫ１の"Ｈ"レベルの期間にクロック信号ＣＬＫ２がコンパレータ２２の動作速度に依存した高周波となり、動消費電流が大きくなる。これに対して、電源回路３００では、クロック信号ＣＬＫ２が、"Ｌ"レベルはコンパレータ２２の動作速度に依存した高周波となるが、"Ｈ"レベルは抵抗Ｒ３とコンデンサＣ２による時定数に依存するため、電源回路１００より周期が長くなり、電源回路１００より動消費電流を低減することができる。
【００３１】
以上に説明したように、コンパレータ２２で目標電圧を検出する前にコンパレータ６２で目標電圧より所定値だけ低い電圧を検出し、検出後のコンデンサＣ２への充電動作をスイッチＳＷ４ａとＳＷ４ｂとの切り替えにより抵抗Ｒ３を介して行うようにしたので、目標電圧に到達する直前でのコンデンサＣ２への充電カーブが緩やかとなり出力電圧のオーバーシュートおよびリップルを低減させることができる。また、クロック信号ＣＬＫ２の"Ｈ"レベルの周期がコンパレータ２２の動作速度に依存せず、抵抗Ｒ３およびコンデンサＣ２による時定数に依存して長くなるためクロック信号ＣＬＫ２による動消費電流を低減させることができる。その結果、電源回路３００は、抵抗Ｒ３、コンパレータ６２およびスイッチＳＷ４ａ，ＳＷ４ｂを追加するだけの低コストの構成で、出力電圧Ｖoutを受ける回路素子の劣化を防止でき、かつ、安定した目標電圧を低消費電流で供給できる。
【００３２】
尚、上記実施形態において、電源電圧から昇圧された電圧のコンデンサＣ２への充電経路に設けられた抵抗手段として、抵抗Ｒ３を例に説明したが、可変抵抗器であってもよい。この可変抵抗器は、出力電圧と出力目標電圧との電位差に応じて制御することができる。チャージポンプ１０の各スイッチＳＷ１〜ＳＷ４をＭＯＳトランジスタで構成し、ＳＷ４のＭＯＳトランジスタのゲート電圧を出力電圧と出力目標電圧との電位差に応じて制御するようにして、ＳＷ４のＭＯＳトランジスタを上記可変抵抗器として用いることができる。また、上記実施形態において、コンパレータ２２，６２はヒステリシス機能を有するものを用いることもできる。
【図面の簡単な説明】
【００３３】
【図１】本発明の一実施形態の電源回路３００の回路図。
【図２】図１に示す電源回路３００の動作を示す信号波形図。
【図３】従来の電源回路１００の回路図
【図４】図３に示す電源回路１００に用いられるチャージポンプ１０の一例の回路図。
【図５】図３に示す電源回路１００の重負荷時の動作を示す信号波形図。
【図６】図３に示す電源回路１００の軽負荷時の動作を示す信号波形図。
【符号の説明】
【００３４】
２２、６２  コンパレータ
２３  基準電圧源
２４  ＡＮＤ回路
５０  チャージポンプ
６０  レギュレータ
６１  分圧回路
３００  電源回路
スイッチ  ＳＷ４ａ，ＳＷ４ｂ
抵抗  Ｒ３
【図１】
0004791094.tif 000002
【図２】
0004791094.tif 000003
【図３】
0004791094.tif 000004
【図４】
0004791094.tif 000005
【図５】
0004791094.tif 000006
【図６】
0004791094.tif 000007